(57)【要約】【課題】  ２枚の引き違いの引き戸を有する押入れや戸棚、食器棚等は、その２枚の引き戸の位置関係により、奥の引き戸の引き手が隠れてしまいその引き戸の移動を簡単に行いがたい状態になることが多々ある。そこで、２枚の引き戸がどんな位置関係にあるときでも、奥の引き戸の移動が簡単にでき、また、左右の引き戸が入れ代わった状態でも、違和感のない閉まった状態を生じさせることのできる引き戸を提供する。【解決手段】  ２枚の引き違いの引き戸に従来から存在する引き手１ｎａ、２ｎａに加えて、引き手１ｎｂ、２ｎｂの存在する引き戸。【選択図】図１
2010275845.tif 000002
【特許請求の範囲】
【請求項１】
左右両側に引き手を有することを特徴とする引き戸。
【請求項２】
前記引き手は左右同形で、左右対称の位置に存在することを特徴とする請求項１記載の引き戸。
【発明の詳細な説明】
【技術分野】
【０００１】  この発明は、押入れや戸棚、食器棚等の引き戸の引き手の位置および数に関する。
【背景技術】
【０００２】  従来の２枚の引き違いの引き戸を有する押入れや戸棚、食器棚等  （以下押入れとする）の引き戸は、正しく閉まった状態では、図１３のように向かって右側にある引き戸１ｏにはその引き戸の右側のみに引き手１ｏａが、左側にある引き戸２ｏにはその左側のみに引き手２ｏａが存在する。
【先行技術文献】
【０００３】
【特許文献１】特開平７−２９３１２１号公報
【発明の概要】
【発明が解決しようとする課題】
【０００４】  しかしながら、従来の引き手の位置では、図１３の状態の押入れの左側の引き戸２ｏを右側の引き戸１ｏの後ろに完全に移動し図９のように左側を全開した後、再び図１３のように、押入れを正しく閉まった状態にもどそうとすると、奥の引き戸２ｏは完全に隠れているので図１０のようにいったん手前の引き戸１ｏを左側に少し移動することになる。ところが、その時、奥の引き戸２ｏは見えるようにはなるが、その見える範囲には引き手が存在しない。【０００５】  したがって、引き戸２ｏを左側に移動するには、引き戸２ｏの見えている部分に指又は手をすべらないように押し当てて左側に力を加え移動するか、あるいは、図１０のＳのあたりの引き戸２ｏとその右側の押入れの外枠とのわずかな隙間に指先か爪の先をこじ入れて引き戸２ｏを左側に移動することになる。いずれの場合も引き戸や指先、爪の先に無理な力を加えることになる。【０００６】  上記の方法で引き戸２を左側に少し移動した後、図１１のように引き戸１ｏを右端まで移動すると、引き戸２ｏの引き手２ｏａが見えるようになる。その引き手２ｏａに指をかけ引き戸２ｏを左端まで移動し、押入れを閉めることになる。【０００７】  図９の状態から図１３の押入れが正しく閉まった状態にするために考えられる他の方法は、図１２に示すようにいったん引き戸１ｏを左端まで移動し引き戸２ｏの引き手２ｏａに指をかけ引き戸２ｏを少し左側に移動した後、引き戸２ｏの右側にできる引き戸２ｏと外枠との隙間に手を入れ引き戸２ｏを左端まで移動し、再び引き戸１ｏを右端まで移動し、押入れを閉めるというものである。この方法によると引き戸や指先、爪の先に無理な力はかからないが、引き戸１ｏを右端から左端そしてまた右端まで移動させなければならず、個人差はあろうが、億劫に感じられる。【０００８】  その他にも図９の状態から図１３の状態にするのにいくつかの方法（手順）はあろうが、いずれの場合も本発明の引き戸にした場合、手や指、爪の先、あるいは引き戸に無理な力をかけたり、億刧に感じたりする頻度は減少する。【０００９】  ただし、以上の説明は、押入れが正しく閉まった状態で向かって右側の引き戸が手前、左側の引き戸が奥にある場合の説明であり、向かって右側の引き戸が奥、左側の引き戸が手前の場合は当然のごとく左右逆の現象が生じる。なお、ここでいう、正しく閉まった状態というのは、引き手が外側に存在する状態で閉まっている図１３のような状態をいうのであって、引き手が内側に存在する状態で閉まっている図１２のような状態を正しく閉まった状態とはいわない。【００１０】  そこで、この発明は、引き戸がどんな状態にあるときでも、従来の引き戸と比べて、同等か、あるいは、それよりも無理なく迅速に開閉ができるような引き戸を提供することを課題とする。
【課題を解決するための手段】
【００１１】  以上の課題を解決するために第一発明は、引き手を左右両側に有することを特徴とした引き戸である。
また、第二発明は、同形の引き手が左右対称の位置に存在することを特徴とする引き戸である。
【発明の効果】
【００１２】  第一発明によれば、前述の図９の状態から押入れが正しく閉まった状態にする時の過程のひとつをあらわした図１０は、それぞれの引き戸が左右に引き手を有するので、図７のようになる。すなわち、図１０の状態では、引き戸２ｏの引き手は見えなかったが、図７に示すように左右に引き手を有する引き戸であれば、引き戸２ｎの引き手２ｎｂが見えるので、それに指をかけ引き戸２ｎを左側に移動させることは容易である。引き戸や指先、爪の先に無理な力をかけなくてすむのである。【００１３】  また、第二発明によれば、同じく前述の図９の状態から押入れが閉まった状態にする時の過程のひとつをあらわした図１２は、それぞれの引き戸が左右対称の位置に同形の引き手を有するので、図２のようになる。すなわち左右対称の位置に同形の引き手を有する引き戸が、向かって右側の引き戸を手前にして正しく閉まった状態をあらわした図１と左右の引き戸が入れ代わっている状態を示した図２とを比べたとき、引き手の見える位置が正面観では、同じ位置になる。したがって、図２の状態をもって、押入れが正しく閉まった状態としてもほとんど違和感はない。【００１４】  一方、右側か左側かのいずれか片方にしか引き手のない従来の引き戸の押入れが正しく閉まった状態をあらわした図１３とその左右の引き戸が入れ代わった状態の図１２とでは、引き手の見える位置が明らかに違う。したがって、図１２の状態をもって押入れが正しく閉まった状態とは、やはり、言いがたい。よって、この引き手が同形で、左右対称の位置に存在することを特徴とする引き戸という第二発明により、二枚の引き戸の左右が入れ代わってもほとんど違和感のない正しく閉まった状態を生じさせることができる。よって、左側を全開した図８の状態から引き戸１ｎを左端へ移動するだけという簡単な作業で図２の、いわゆる押入れがほとんど違和感のない正しく閉まった状態にできるのである。
【図面の簡単な説明】
【００１５】
【図１】本発明の引き戸を使用した押入れで、正しく閉まった状態を示す正面図。
【図２】図１の左右の引き戸が入れ代わった状態の正面図。
【図３】図１の点線Ａにおける断面図。
【図４】周囲に幅ｒの縁取りのある本発明の引き戸を有する押入れの正面図。
【図５】縦の縁に幅ｒの縁取りのある本発明の引き戸を有する押入れの正面図。
【図６】縁取りのない本発明の引き戸を有する押入れの正面図。
【図７】図１０の状態にある引き戸１ｏ，２ｏを本発明の引き戸１ｎ、２ｎに入れ代えた状態を示す正面図。
【図８】図９の状態にある引き戸１ｏ，２ｏを本発明の引き戸１ｎ、２ｎに入れ代えた状態を示す正面図。
【図９】従来の押入れで、左側が全開した状態の正面図。
【図１０】図９の状態から引き戸１ｏを少し左側に移動した状態を示す正面図。
【図１１】図１０の状態から引き戸２ｏを左側に少し移動した後、引き戸１ｏを右端まで移動させた状態を示す正面図。
【図１２】図９の状態から引き戸１ｏを左端まで移動した状態を示す正面図。
【図１３】従来の引き戸を使用した押入れで、正しく閉まった状態を示す正面図。
【発明を実施するための形態】
【００１６】  この発明の一実施形態を、図１に示す。図１を含め以下の図は押入れをイメージして描いているが、引き違いの２枚の引き戸を有する戸棚や食器棚等も同様である。
図１において引き戸の引き手１ｎａ、２ｎａの存在する位置は、図１３に示す従来の引き戸の引き手１ｏａ、２ｏａの存在する位置と基本的に大差はない。
【００１７】  ただ、留意しなければならないのは、本発明においては、図１のように引き手１ｎｂ、２ｎｂが存在するので、２ｎｂが引き戸１ｎの後ろに隠れないような位置に配することである。すなわち、図３に示すように、２枚の引き戸の重なる部分の幅ｒよりも、引き戸２ｎの向かって右側の端から引き手２ｎｂの右端までの長さｔの方が長くなくてはならない。その長さｔにより、引き手１ｎｂ、１ｎａ、２ｎａの位置も図３のように決定される。
【００１８】  こうすることで図１の引き戸１ｎと２ｎの左右が入れ代わった図２の状態になっても違和感がほとんどない正しく閉まった状態ができるのである。さらに付け加えるなら、ｒの幅の縁取りが、引き戸の周囲に、もしくは縦の縁にあれば（図４、図５）、それがない場合（図６）よりも、４つの引き手の位置のバランスがよく見える。
【００１９】  この発明による引き戸は、３枚や４枚の引き戸を有する押入れや戸棚、食器棚等に用いても、２枚の場合と同様、使い勝手の良いものとなる。
【００２０】  さらに、この発明による引き戸は、部屋と部屋の間仕切りとして使用されている襖や障子などにも応用することができる。その際は、引き戸の表と裏の同じ位置に引き手を付しておかなければならない。つまり、一枚の引き戸について表裏合わせて４つの引き手が存在することになる。こうすることで、使い勝手の良さを向上させることができる。
【符号の説明】
【００２１】  １ｎ    本発明の、手前に位置する引き戸
２ｎ    本発明の、奥に位置する引き戸
１ｎａ  引き戸１ｎに存在する引き手のうち向かって右側にあるもの
１ｎｂ  引き戸１ｎに存在する引き手のうち向かって左側にあるもの
２ｎａ  引き戸２ｎに存在する引き手のうち向かって左側にあるもの
２ｎｂ  引き戸２ｎに存在する引き手のうち向かって右側にあるもの
点線Ａ  図３の断面図を作成するための面を表す
ｒ      正しく閉まった状態における引き戸１ｎと引き戸２ｎの重なりの幅
ｔ      本発明の引き戸の縦の縁から近い方にある引き手までの長さ
Ｓ      引き戸２ｏと押入れの外枠の間に、存在するかしないかのわずかな隙間
１ｏ    従来の、手前に位置する引き戸
２ｏ    従来の、奥に位置する引き戸
１ｏａ  引き戸１ｏの引き手
２ｏａ  引き戸２ｏの引き手
【図１】
2010275845.tif 000003
【図２】
2010275845.tif 000004
【図３】
2010275845.tif 000005
【図４】
2010275845.tif 000006
【図５】
2010275845.tif 000007
【図６】
2010275845.tif 000008
【図７】
2010275845.tif 000009
【図８】
2010275845.tif 000010
【図９】
2010275845.tif 000011
【図１０】
2010275845.tif 000012
【図１１】
2010275845.tif 000013
【図１２】
2010275845.tif 000014
【図１３】
2010275845.tif 000015